(57)【要約】【課題】相手方の着信音を知ることを可能とするコンテンツ情報通知システム、携帯電話機、及びコンピュータ・プログラムを提供すること。【解決手段】コンテンツ情報通知システム（１００）は、発信側携帯電話機（１Ａ、１Ｃ、１Ｄ、１Ｅ）からの電子メール及び電話のうち少なくとも一方の着信に応じて出力するコンテンツを、コンテンツを示す文字情報と対応付けて記憶する（３０Ｂ、３０Ｆ）着信側記憶部（１０Ｂ、１０Ｆ）と、着信に応じて出力するコンテンツに対応する文字情報を着信側記憶部から抽出する着信側制御部（５Ｂ、５Ｆ）と、抽出された文字情報を発信側携帯電話機に送信する着信側送信部（１４Ｂ、１４Ｆ）と、を有する着信側携帯電話機（１Ｂ、１Ｆ）と、発信側制御部（５Ａ、５Ｃ、５Ｄ、５Ｅ）と、着信側携帯電話機から受信した文字情報を表示する発信側表示部（１１Ａ、１１Ｃ、１１Ｄ、１１Ｅ）と、を有する発信側携帯電話機と、を備える。【選択図】図３
2008306440.tif 000002
【特許請求の範囲】
【請求項１】
着信側の携帯電話機は、
発信側の携帯電話機からの電子メール及び電話のうち少なくとも一方の着信に応じて出力するコンテンツを、前記コンテンツを示す文字情報と対応付けて記憶する着信側記憶部と、
前記着信に応じて出力する前記コンテンツに対応する前記文字情報を、前記着信側記憶部から抽出する着信側制御部と、
抽出された前記文字情報を、前記発信側の携帯電話機に送信する着信側送信部と、を備え、
前記発信側の携帯電話機は、
発信側制御部と、
前記着信側の携帯電話機から受信した前記文字情報を表示する発信側表示部と、を備えることを特徴とするコンテンツ情報通知システム。
【請求項２】
請求項１に記載のコンテンツ情報通知システムにおいて、
前記発信側の携帯電話機は、発信側記憶部を備え、
前記発信側制御部は、受信した前記文字情報を前記発信側記憶部に記憶することを特徴とするコンテンツ情報通知システム。
【請求項３】
請求項１又は２に記載のコンテンツ情報通知システムにおいて、
前記文字情報は、対応する前記コンテンツの取得先に関する情報を含むことを特徴とするコンテンツ情報通知システム。
【請求項４】
請求項１から３のいずれかに記載のコンテンツ情報通知システムにおいて、
前記着信側制御部は、前記文字情報を送信したことに応じて前記コンテンツを出力する制御を行うことを特徴とするコンテンツ情報通知システム。
【請求項５】
請求項１から４のいずれかに記載のコンテンツ情報通知システムにおいて、
前記着信側記憶部は、前記コンテンツに対応する前記文字情報を、前記発信側の携帯電話機の情報ごとに対応付けて記憶しており、
前記着信側制御部は、前記着信に応じて、記憶された前記発信側の携帯電話機の情報に基づき前記文字情報を抽出することを特徴とするコンテンツ情報通知システム。
【請求項６】
請求項１から５のいずれかに記載のコンテンツ情報通知システムにおいて、
前記コンテンツは、着信音に関するものであり、
前記着信側制御部は、前記文字情報として前記着信音に関する情報を抽出することを特徴とするコンテンツ情報通知システム。
【請求項７】
請求項６に記載のコンテンツ情報通知システムにおいて、
前記着信側送信部は、前記着信側の携帯電話機が着信音を出力しないように設定されている場合には、前記着信音を出力しない設定である旨の情報を、前記文字情報と共に前記発信側の携帯電話機に送信することを特徴とするコンテンツ情報通知システム。
【請求項８】
請求項１から７のいずれかに記載のコンテンツ情報通知システムにおいて、
前記コンテンツは、画像に関するものであり、
前記着信側の携帯電話機は、着信側表示部を備え、
前記着信側制御部は、前記文字情報として前記着信側表示部に表示される前記画像に関する情報を抽出することを特徴とするコンテンツ情報通知システム。
【請求項９】
請求項１から８のいずれかに記載のコンテンツ情報通知システムにおいて、
前記発信側制御部は、前記着信側の携帯電話機に対して発信をしたことに応じて、前記発信側の携帯電話機が着信した際に出力するコンテンツに対応する前記コンテンツを示す文字情報を抽出し、
前記発信側の携帯電話機は、抽出された前記文字情報を前記着信側の携帯電話機に送信する発信側送信部を備え、
前記着信側の携帯電話機は、着信側表示部を備え、
前記着信側制御部は、前記発信側の携帯電話機から着信したことに応じて、前記発信側の携帯電話機から受信した前記文字情報を前記着信側表示部に表示する制御を行うことを特徴とするコンテンツ情報通知システム。
【請求項１０】
電子メール及び電話のうち少なくとも一方の着信に応じて出力するコンテンツを、前記コンテンツを示す文字情報と対応付けて記憶する記憶部と、
前記着信に応じて出力する前記コンテンツに対応する前記文字情報を抽出する制御部と、
抽出された前記文字情報を、前記着信の相手先に送信する送信部と、を備えることを特徴とする携帯電話機。
【請求項１１】
請求項１０に記載の携帯電話機において、
前記文字情報を受信したことに応じて前記文字情報を表示する表示部を備え、
前記制御部は、受信した前記文字情報を前記記憶部に記憶することを特徴とする携帯電話機。
【請求項１２】
コンピュータに、
電子メール及び電話のうち少なくとも一方の着信に応じて出力するコンテンツを、前記コンテンツを示す文字情報と対応付けて記憶するステップと、
前記着信に応じて出力する前記コンテンツに対応する前記文字情報を抽出するステップと、
抽出された前記文字情報を、前記着信の相手先に送信するステップと、を実行させるためのコンピュータ・プログラム。
【請求項１３】
請求項１２に記載のコンピュータ・プログラムにおいて、
前記コンピュータに、
前記文字情報を受信したことに応じて前記文字情報を表示するステップと、
受信した前記文字情報を記憶するステップと、を実行させるためのコンピュータ・プログラム。
【発明の詳細な説明】
【技術分野】
【０００１】
本発明は、携帯電話機を用いたコンテンツ情報通知システム、携帯電話機、及びコンピュータ・プログラムに関する。
【背景技術】
【０００２】
従来、携帯電話機には、電話をかける機能や、メールの送受信を行う機能のみならず、多くの機能が搭載されている。その機能の１つとして、電話やメールを受信した場合に、受信したことを知らせるための着信メロディ機能が広く知られている。着信メロディ機能は、通常の機械的な着信音ではなく、音楽風メロディを受信時に出力するものであり、携帯電話機において広く普及している。そして、例えば、簡単に着信メロディを登録及び変更できるコンテンツデータの配信システムが提案されている（例えば、特許文献１）。
【特許文献１】特開２００２−１５２３１９号公報
【発明の開示】
【発明が解決しようとする課題】
【０００３】
特許文献１には、サーバから自分の好みの音データを携帯電話機が受信した上で、着信音として登録するためのものが開示されている。着信音は、発信者ごとに変えることができるため、着信音を登録する者は、発信者の印象や性格等により様々な着信音を設定することが行われている。しかし、発信者は、自分がかけた電話等の着信音がどのようなものであるか興味を持ち、知りたいと思ったところで知る術がない。
【０００４】
そこで、本発明は、相手方の着信音を知ることを可能とするコンテンツ情報通知システム、携帯電話機、及びコンピュータ・プログラムを提供することを目的とする。
【課題を解決するための手段】
【０００５】
本発明は、以下のような解決手段により、前記課題を解決する。なお、理解を容易にするために、本発明の実施形態に対応する符号を付して説明するが、これに限定されるものではない。
【０００６】
請求項１の発明は、着信側の携帯電話機（１Ｂ、１Ｆ）は、発信側の携帯電話機（１Ａ、１Ｃ、１Ｄ、１Ｅ）からの電子メール及び電話のうち少なくとも一方の着信に応じて出力するコンテンツ（３２、３６）を、前記コンテンツを示す文字情報と対応付けて記憶する（３０Ｂ、３０Ｆ）着信側記憶部（１０Ｂ、１０Ｆ）と、前記着信に応じて出力する前記コンテンツに対応する前記文字情報を、前記着信側記憶部から抽出する着信側制御部（５Ｂ、５Ｆ）と、抽出された前記文字情報を、前記発信側の携帯電話機に送信する着信側送信部（１４Ｂ、１４Ｆ）と、を備え、前記発信側の携帯電話機は、発信側制御部（５Ａ、５Ｃ、５Ｄ、５Ｅ）と、前記着信側の携帯電話機から受信した前記文字情報を表示する発信側表示部（１１Ａ、１１Ｃ、１１Ｄ、１１Ｅ）と、を備えることを特徴とするコンテンツ情報通知システム（１００）である。
【０００７】
請求項２の発明は、請求項１に記載のコンテンツ情報通知システム（１００）において、前記発信側の携帯電話機（１Ａ、１Ｃ、１Ｄ）は、発信側記憶部（１０Ａ、１０Ｃ、１０Ｄ）を備え、前記発信側制御部（５Ａ、５Ｃ、５Ｄ）は、受信した前記文字情報を前記発信側記憶部に記憶することを特徴とするコンテンツ情報通知システムである。
請求項３の発明は、請求項１又は２に記載のコンテンツ情報通知システム（１００）において、前記文字情報は、対応する前記コンテンツ（３２、３６）の取得先に関する情報を含むことを特徴とするコンテンツ情報通知システムである。
請求項４の発明は、請求項１から３のいずれかに記載のコンテンツ情報通知システム（１００）において、前記着信側制御部（５Ｂ）は、前記文字情報を送信したことに応じて前記コンテンツ（３２、３６）を出力する制御を行うことを特徴とするコンテンツ情報通知システムである。
請求項５の発明は、請求項１から４のいずれかに記載のコンテンツ情報通知システム（１００）において、前記着信側記憶部（１０Ｂ）は、前記コンテンツ（３２、３６）に対応する前記文字情報を、前記発信側の携帯電話機（１０Ａ、１０Ｃ、１０Ｄ）の情報（３１）ごとに対応付けて記憶しており、前記着信側制御部（５Ｂ）は、前記着信に応じて、記憶された前記発信側の携帯電話機の情報に基づき前記文字情報を抽出することを特徴とするコンテンツ情報通知システムである。
請求項６の発明は、請求項１から５のいずれかに記載のコンテンツ情報通知システム（１００）において、前記コンテンツ（３２）は、着信音に関するものであり、前記着信側制御部（５Ｂ）は、前記文字情報として前記着信音に関する情報を抽出することを特徴とするコンテンツ情報通知システムである。
請求項７の発明は、請求項６に記載のコンテンツ情報通知システム（１００）において、前記着信側送信部（１４Ｂ）は、前記着信側の携帯電話機（１Ｂ）が着信音を出力しないように設定されている場合には、前記着信音を出力しない設定である旨の情報を、前記文字情報と共に前記発信側の携帯電話機（１Ｄ）に送信することを特徴とするコンテンツ情報通知システムである。
請求項８の発明は、請求項１から７のいずれかに記載のコンテンツ情報通知システム（１００）において、前記コンテンツ（３６）は、画像に関するものであり、前記着信側の携帯電話機（１Ｂ）は、着信側表示部（１１Ｂ）を備え、前記着信側制御部（５Ｂ）は、前記文字情報として前記着信側表示部に表示される前記画像に関する情報を抽出することを特徴とするコンテンツ情報通知システムである。
請求項９の発明は、請求項１から８のいずれかに記載のコンテンツ情報通知システム（１００）において、前記発信側制御部（５Ｅ）は、前記着信側の携帯電話機（１Ｆ）に対して発信をしたことに応じて、前記発信側の携帯電話機（１Ｅ）が着信した際に出力するコンテンツに対応する前記コンテンツを示す文字情報を抽出し、前記発信側の携帯電話機は、抽出された前記文字情報を前記着信側の携帯電話機に送信する発信側送信部（１４Ｅ）を備え、前記着信側の携帯電話機は、着信側表示部（１１Ｆ）を備え、前記着信側制御部（５Ｆ）は、前記発信側の携帯電話機から着信したことに応じて、前記発信側の携帯電話機から受信した前記文字情報を前記着信側表示部に表示する制御を行うことを特徴とするコンテンツ情報通知システムである。
【０００８】
請求項１０の発明は、電子メール及び電話のうち少なくとも一方の着信に応じて出力するコンテンツ（３２、３６）を、前記コンテンツを示す文字情報と対応付けて記憶する（３０）記憶部（１０）と、前記着信に応じて出力する前記コンテンツに対応する前記文字情報を抽出する制御部（５）と、抽出された前記文字情報を、前記着信の相手先に送信する送信部（１４）と、を備えることを特徴とする携帯電話機（１）である。
【０００９】
請求項１１の発明は、請求項１０に記載の携帯電話機（１）において、前記文字情報を受信したことに応じて前記文字情報を表示する表示部（１１）を備え、前記制御部（５）は、受信した前記文字情報を前記記憶部（１０）に記憶することを特徴とする携帯電話機である。
【００１０】
請求項１２の発明は、コンピュータに、電子メール及び電話のうち少なくとも一方の着信に応じて出力するコンテンツを、前記コンテンツを示す文字情報と対応付けて記憶するステップと、前記着信に応じて出力する前記コンテンツに対応する前記文字情報を抽出するステップと、抽出された前記文字情報を、前記着信の相手先に送信するステップと、を実行させるためのコンピュータ・プログラムである。
【００１１】
請求項１３の発明は、請求項１２に記載のコンピュータ・プログラムにおいて、前記コンピュータに、前記文字情報を受信したことに応じて前記文字情報を表示するステップと、受信した前記文字情報を記憶するステップと、を実行させるためのコンピュータ・プログラムである。
なお、符号を付して説明した構成は、適宜改良してもよく、また、少なくとも一部を他の構成物に代替してもよい。
【発明の効果】
【００１２】
本発明によれば、以下の効果を奏することができる。
（１）本発明は、電話等の着信に応じて出力する着信メロディ等のコンテンツを示す文字情報を相手の携帯電話機に送信することによって、相手の携帯電話機が当該文字情報を表示する。よって、相手方（発信者）は、文字情報を見ることによって自分がかけた電話等の着信に応じて着信側の携帯電話機で出力されるコンテンツを知ることができる。このことにより、相手方（発信者）は、例えば、着信者の興味や趣味を、コンテンツから知ることができる。他方、着信者は、発信者に自分の好みのコンテンツを知らせることができる。
【００１３】
（２）本発明は、発信者の携帯電話機が受信した文字情報を記憶する。よって、携帯電話機による電話又は電子メールの送受信や電子メールの閲覧を終えた後等の、所定の時間が経過した後等においても、発信者は、記憶された文字情報を見ることができる。
【００１４】
（３）本発明は、文字情報にコンテンツの取得先に関する情報を含む。コンテンツの取得先に関する情報とは、例えば、着信メロディのダウンロード元サイトをいう。よって、発信者は、着信側の携帯電話機で出力されるコンテンツのダウンロード元を知ることができる。また、コンテンツの取得先に関する情報を表示することにより、発信者にダウンロードサイトからコンテンツをダウンロードするよう導くことができる。結果として、発信者に対してコンテンツの購入を促すことができる。
【００１５】
（４）本発明は、文字情報を送信したことに応じてコンテンツを出力する。よって、文字情報は、着信があったことを着信者が知る前に送信されるため、発信者は、着信者が応答するまでの待ち時間に、文字情報を見ることができる。
【００１６】
（５）本発明は、文字情報を、発信側の携帯電話機の情報ごとに記憶する。携帯電話機の情報とは、例えば、電話番号やメールアドレスであり、発信者ごとの電話や電子メールに固有の情報をいう。よって、着信者は、携帯電話機の設定に関し、発信者の印象や性格に応じて発信者ごとにコンテンツやコンテンツに対応する文字情報を変えることができる。また、コンテンツの設定に応じて、発信者は、自分（発信者）に対するコンテンツ等の着信者の設定を知ることにより、着信者が自分（発信者）に対して抱く印象や性格を、文字情報によって知ることができる。
【００１７】
（６）本発明は、着信音のコンテンツに関する。よって、着信音が曲である場合には、着信音に関する情報として、例えば、曲のタイトルや曲の発売日等の付帯情報を知ることができる。
（７）本発明は、着信音を出力しない設定の場合には、その旨の情報を発信者の携帯電話機に出力する。よって、発信者は、着信者の携帯電話機の設定から着信者の状況を知ることができる。したがって、着信に対する応答がない場合であっても、着信者の状況を知ることにより、例えば、発信者がイライラせずに済む等、不快な思いをするのを防ぐことができる。
【００１８】
（８）本発明は、画像のコンテンツに関する。よって、画像に関する情報として、例えば、画像のタイトルや画像の制作者等の付帯情報を知ることができる。
（９）本発明は、電話等の発信に応じて、発信側の携帯電話機が着信時に出力するコンテンツを示す文字情報を、着信側の携帯電話機に送信する。そして、着信側の携帯電話機は、電話等が着信したことに応じて当該文字情報を表示する。よって、着信者は、発信者が設定しているコンテンツを知ることができる。他方、発信者は、着信者に自分の好みのコンテンツを知らせることができる。
【発明を実施するための最良の形態】
【００１９】
本発明は、相手方の着信音を知ることを可能とするコンテンツ情報通知システム、携帯電話機、及びコンピュータ・プログラムを提供するという目的を、電話等の着信に応じて出力する着信メロディ等のコンテンツを示す文字情報を相手の携帯電話機に送信し、相手の携帯電話機が当該文字情報を表示することによって実現した。
【００２０】
（第１実施形態）
以下、本発明を実施するための最良の形態について図を参照しながら説明する。なお、これはあくまでも一例であって、本発明の技術的範囲はこれに限られるものではない。
【００２１】
図１は、第１実施形態の一例に係るコンテンツ情報通知システム１００（以下、単にシステム１００という）の構成を示す図である。システム１００は、２台の携帯電話機１とサーバ３とがネットワーク２を介して接続されている。図１では、説明の都合上、２台の携帯電話機１を示しているが、複数台であってよい。また、２台の携帯電話機１を区別するため、本実施形態では、以降は便宜上、発信側を携帯電話機１Ａ、着信側を携帯電話機１Ｂと記載する。また、携帯電話機１Ａの関連にはＡを、携帯電話機１Ｂの関連にはＢを、それぞれ付す。また、発信側、着信側を区別しない場合は、Ａ及びＢの符号を付さない。
【００２２】
携帯電話機１は、電話や電子メールの送受信を行うことができる、携帯型の端末である。ネットワーク２は、携帯電話機１Ａ及び携帯電話機１Ｂや、携帯電話機１及びサーバ３の間での通信を行うためのものである。携帯電話機１Ａ及び携帯電話機１Ｂは、通常は基地局（図示せず）との間で電波による無線通信を利用することにより通信を行う。サーバ３は、携帯電話機１で出力可能なコンテンツのダウンロード元サイトであり、ＤＢ（データベース）を備える。図１には１つのサーバであるかのように記載しているが、ハードウェアの数に制限はない。必要に応じて、１又は複数で構成してよい。また、サーバ３のハードウェアは、必要に応じてＷｅｂサーバ、ＤＢ（データベース）サーバ、アプリケーションサーバ等の各種サーバを含んで構成してよく、１台のサーバで構成しても、それぞれ別のサーバで構成してもよい。
【００２３】
図２は、第１実施形態の一例に係る携帯電話機１の機能ブロックを示す図である。携帯電話機１は、主な構成として、制御部５、記憶部１０、表示部１１、操作部１２、バイブレータ部１３、送信部１４、受信部１５、及び音声入出力部１６を備える。なお、本発明でいうコンピュータとは、制御部、記憶部等を備えた情報処理装置をいい、携帯電話機１は、制御部５、記憶部１０等を備えた情報処理装置であり、本発明のコンピュータの概念に含まれる。この図２では、制御部５を介して各構成が接続された形となっているが、バスを介して全ての構成が接続される形であってもよい。なお、本実施形態では、携帯電話機１Ａ、及び携帯電話機１Ｂは、発信及び着信に関する機能の両方を有するものとして記載しているが、これに限られない。携帯電話機１Ａは、発信に関する機能のみを有し、携帯電話機１Ｂは、着信に関する機能のみを有するものとしても、本発明に含まれる。
【００２４】
制御部５は、情報の演算、及び処理を行う情報演算処理装置（ＣＰＵ）であり、当該携帯電話機１全体を制御するものである。制御部５は、記憶部１０に記憶された各種プログラムを適宜読み出して実行することにより、携帯電話機１のハードウェアと協働し、本発明に係る各種機能を実現している。
記憶部１０は、着信時に出力するコンテンツを記憶し、制御部５と組み合わせてプログラムの実行に使用するメモリを含んでよい。記憶部１０を実現するものとして、電気的、磁気的、光学的、電磁的に実現するものを含んでよい。より具体的には、半導体記憶装置、磁気ディスク、ランダムアクセスメモリ（ＲＡＭ）、リードオンリーメモリ（ＲＯＭ）等が含まれる。メモリカード等の補助記憶装置も含む概念である。
【００２５】
表示部１１は、発信者や着信者の操作により電話や電子メールに関する表示をしたり、当該携帯電話機１がプログラムを実行することにより、文字情報を表示したりするものである。主に、液晶表示装置（ＬＣＤ）等のディスプレイ装置を含む。表示部１１は、例えば、携帯電話機１に直接組み込まれている。
【００２６】
操作部１２は、発信者や着信者による入力の受け付けを行うものであり、各種キーやボタン等を含んでよい。
バイブレータ部１３は、振動を発生させて携帯電話機１を振動させるものであり、制御部５からの命令により、例えば、錘付きのモータ（図示せず）が回転することにより振動を発生させる。
【００２７】
送信部１４及び受信部１５は、携帯電話機１から電子メールの送受信や電話の発信及び着信を行うための通信を行うものであり、アンテナ２３を接続している。
音声入出力部１６は、マイク２１を介して入力された音声をデータ化して、制御部５に音声データを送信したり、制御部５から送信される音声データを、スピーカ２２により再生させたりするための役割を果たす。
【００２８】
次に、携帯電話機１Ａから携帯電話機１Ｂに電話をかけた際の処理について説明する。
図３は、第１実施形態の一例に係る携帯電話機１の処理を示すフローチャートである。
図４は、第１実施形態の一例に係る出力表示例を示す図である。
まず、図３のステップＳ１０１では、ＡさんはＢさんに電話をかける。具体的には、携帯電話機１Ａの制御部５Ａは、送信部１４Ａに対し、携帯電話機１Ｂに電話に関する信号を送信する制御を行う。この後、表示部１１Ａには、図４の（ａ）に示すような画像が表示される。図４の（ａ）は、通話状態を示す状態表示部５０に、発信中である旨を示し、着信者情報表示部５１に、携帯電話機１Ａの電話の相手方である携帯電話機１Ｂの電話番号（この例では、「０９０９８７６×××９」）を示している。
【００２９】
図３に戻って、ステップＳ２０１において、携帯電話機１Ｂの受信部１５Ｂは、携帯電話機１Ａからの電話を着信する。この処理により、携帯電話機１Ａと携帯電話機１Ｂとが接続される。ステップＳ２０２では、携帯電話機１Ｂの制御部５Ｂは、コンテンツ通知サービスがＯＮか否かを判断する。ここで、コンテンツ通知サービスのＯＮ又はＯＦＦは、Ｂさんにより携帯電話機１Ｂに予め設定されるものである。このコンテンツ通知サービスをＯＮにすることにより、携帯電話機１Ａ等の着信元に対して呼出時に出力されるコンテンツに関する情報の送信を許容することができる。コンテンツ通知サービスがＯＮである場合（ステップＳ２０２の処理でＹＥＳが判断される場合）には、制御部５Ｂは、処理をステップＳ２０３に移す。他方、コンテンツ通知サービスがＯＮでない場合（ステップＳ２０２の処理でＮＯが判断される場合）には、コンテンツの通知サービス機能を使用しないため、制御部５Ｂは、処理をステップＳ２０８に移す。
【００３０】
ステップＳ２０３では、制御部５Ｂは、バイブレータ機能がＯＮであるか否かを判断する。バイブレータ機能は、Ｂさんにより携帯電話機１Ｂに予め設定されるものであり、呼出時に振動で着信を知らせる機能である。バイブレータ機能がＯＮである場合（ステップＳ２０３の処理でＹＥＳが判断される場合）には、制御部５Ｂは、処理をステップＳ２０４に移す。他方、バイブレータ機能がＯＮでない場合（ステップＳ２０３の処理でＮＯが判断される場合）には、制御部５Ｂは、処理をステップＳ２０５に移す。
ステップＳ２０４では、制御部５Ｂは、携帯電話機１Ｂがバイブレータ機能を使用中である旨を通知するためのメッセージを作成する。その後、制御部５Ｂは、処理をステップＳ２０５に移す。
【００３１】
ステップＳ２０５では、後述の図５で説明する着信コンテンツテーブル３０ＢからＡさんの電話番号に対するコンテンツを検索する。具体的には、制御部５Ｂは、携帯電話機１Ａから受信した電話番号である発信者情報に基づき、着信コンテンツテーブル３０Ｂからコンテンツを検索する。その後、ステップＳ２０６では、制御部５Ｂは、検索したコンテンツに対応する文字情報を抽出する。コンテンツに対する文字情報とは、コンテンツのタイトルやコンテンツに関する詳細情報等の様々な情報、及びコンテンツを取得するための情報等、文字情報を受け取った者がどのようなコンテンツであるかを知ることができる情報をいう。ここで、上述のステップＳ２０４で作成したバイブレータ機能を使用中である旨の通知をするためのメッセージがある場合には、当該メッセージは、文字情報に含まれる。次に、ステップＳ２０７では、制御部５Ｂは、送信部１４Ｂに文字情報を送信する制御を行う。その後、ステップＳ２０８では、制御部５Ｂは、呼出処理を行う。具体的には、着信コンテンツテーブル３０Ｂに格納される音データ３２及び画像データ３６を用いて、制御部５Ｂは、音声入出力部１６Ｂを介してスピーカ２２から音を出力したり、表示部１１Ｂから画像を出力したりする。
他方、ステップＳ１０２において文字情報を受信した携帯電話機１Ａの制御部５Ａは、ステップＳ１０３において、受信した文字情報を表示部１１Ａに表示させる制御を行う。
【００３２】
図４の（ｂ）に、呼出時に表示部１１Ａに表示される画像の例を示す。図４の（ｂ）は、状態を示す状態表示部５０に呼出中である旨を、着信者情報表示部５１に携帯電話機１Ｂの電話番号を示している。なお、携帯電話機１Ｂの電話番号と共に、又は電話番号に代えて、予め登録した携帯電話機１Ｂの持ち主の氏名やニックネームを示してもよい。また、図４の（ｂ）は、コンテンツに対応する文字情報として、音タイトル表示部４１に着信メロディである着信音の曲タイトルを、音付随情報表示部４２に音データの付随的な情報を、音リンク情報表示部４３にリンク情報をそれぞれ示している。この例では、音リンク情報表示部４３は、着信メロディである着信音ダウンロードサイトへのリンクと、当該メロディのＣＤ購入サイトへのリンクとを示している。
このように、文字情報には、着信音のダウンロードサイトへのリンクやＣＤ購入サイトへのリンク等のコンテンツの取得先に関する情報を含む。例えば、この着信音のダウンロードサイトへのリンクをクリックすることによって、携帯電話機１Ａにも、携帯電話機１Ｂで出力される音をダウンロードすることができる。つまり、発信者に対して音楽コンテンツの購入を促すことができる。
【００３３】
他方、図４の（ｃ）に、呼出時の携帯電話機１Ｂの出力例を示す。表示部１１Ｂは、発信側である携帯電話機１Ａの電話番号を表示すると共に、スピーカ２２Ｂから、例えば、電子楽器同士や電子楽器とコンピュータとを接続する規格であるＭＩＤＩ（ｍｕｓｉｃａｌ  ｉｎｓｔｒｕｍｅｎｔ  ｄｉｇｉｔａｌ  ｉｎｔｅｒｆａｃｅ）形式で作成された音データにより音を出力する。
なお、図４の（ｂ）及び（ｃ）に示した出力例は、後述の図５に示す着信コンテンツテーブル３０Ｂの（Ａ）の行に対応した情報により出力したものを示している。
【００３４】
図３に戻り、Ｂさんが携帯電話機１Ｂを操作し応答することで、携帯電話機１Ａと携帯電話機１Ｂとの間で通話が行われる（ステップＳ１０４及びステップＳ２０９）。通話が終了したことに応じて、携帯電話機１Ｂの制御部５Ｂは、本処理を終了する。他方、通話が終了したことに応じて、携帯電話機１Ａの制御部５Ａは、ステップＳ１０５において、通話前に文字情報を受信したか否かを判断する。文字情報を受信していた場合（ステップＳ１０５の処理でＹＥＳが判断される場合）には、制御部５Ａは、処理をステップＳ１０６に移す。他方、文字情報を受信していなかった場合（ステップＳ１０５の処理でＮＯが判断される場合）には、制御部５Ａは、本処理を終了する。ステップＳ１０６において、制御部５Ａは、受信した文字情報を記憶部１０Ａに記憶する。その後、制御部５Ａは、本処理を終了する。
【００３５】
本処理により、携帯電話機１Ｂは、着信に応じて出力するコンテンツを示す文字情報を携帯電話機１Ａに送信し、携帯電話機１Ａの表示部１１Ａは、当該文字情報を表示する。よって、Ａさんは、自分がかけた電話等の着信に応じてＢさんにより設定された携帯電話機１Ｂで出力するコンテンツを知ることができる。他方、Ｂさんは、携帯電話機１Ａの所有者であるＡさんに自分の好みのコンテンツを知らせることができる。
また、携帯電話機１Ａは、受信した文字情報を記憶することにより、携帯電話機１Ｂとの通話後においても、文字情報を表示でき、Ａさんは、Ｂさんの好みのコンテンツを知ることができる。
さらに、携帯電話機１Ｂは、文字情報を携帯電話機１Ａに送信した後に呼出処理を行い、コンテンツを出力するので、携帯電話機１Ａは、携帯電話機１Ｂが応答するまでの待ち時間に、文字情報を表示部１１Ａに表示することができる。
【００３６】
図５は、第１実施形態の一例に係る着信コンテンツテーブル３０Ｂを示す図である。着信コンテンツテーブル３０Ｂは、携帯電話機１Ｂの記憶部１０Ｂに記憶される。携帯電話機１Ｂは、音データや画像データ等のコンテンツをサーバ３からダウンロードする際に、又はダウンロード後に、着信者情報を設定して着信コンテンツテーブル３０Ｂにダウンロードしたデータを格納する。また、携帯電話機１Ｂは、この着信コンテンツテーブル３０Ｂを用いて、電話や電子メールの着信時にコンテンツの出力を行うと共に、コンテンツと共に格納されたデータに基づき文字情報を抽出する。着信コンテンツテーブル３０Ｂは、発信側の電話番号やメールアドレスを指す発信者情報３１をキーとして、コンテンツに関する情報である音データ情報と画像データ情報とを格納する。
【００３７】
音データ情報は、音データそのものを格納する音データ３２、音データのタイトルを格納する音タイトル３３、音データに関する付随情報を格納する音付随情報３４、及び音データに関するリンク情報の可否を格納する音リンク３５を有する。また、画像データ情報は、画像データそのものを格納する画像データ３６、画像データのタイトルを格納する画像タイトル３７、画像データの付随情報を格納する画像付随情報３８、及び画像データに関するリンク情報の可否を格納する画像リンク３９を有する。ここで、音リンク３５及び画像リンク３９の「１」は、リンク情報が存在することを示し、「０」は、リンク情報が存在しないことを示している。
【００３８】
このように、着信コンテンツテーブル３０Ｂに、発信者情報である電話番号やメールアドレスごとに着信時に出力されるコンテンツを記憶することができる。よって、携帯電話機１Ｂは、発信者ごとにコンテンツやコンテンツに対応する文字情報を変えることができる。したがって、着信者は、発信者の印象や性格に応じたコンテンツの設定をすることができる。また、発信者は、着信者が自分（発信者）に対して抱く印象や性格について知ることができる。
【００３９】
なお、第１実施形態の携帯電話機１Ｂは、携帯電話機１Ｂに対し発信する携帯電話機１Ａとは異なる他の携帯電話機１からの着信に対しても、コンテンツに対応する文字情報を他の携帯電話機１に送信することができる。
図６は、第１実施形態の一例に係る前述の図４とは異なる他の出力表示例を示す図である。
（１）図６の（１ａ）及び（１ｂ）は、上述の図５の（Ｃ）に基づき出力された出力表示例であり、携帯電話機１Ｂが、着信時に着信音と画像との両方を出力する例である。以下、上述の図５の（Ｃ）に基づき出力された出力表示例の説明では、着信側を携帯電話機１Ｃとし、携帯電話機１Ｃの関連にはＣを付す。図６の（１ａ）は、表示部１１Ｃに表示されるものを示す。状態を示す状態表示部５０に呼出中である旨を、着信者情報表示部５１に携帯電話機１Ｂの電話番号を示している。また、携帯電話機１Ｂが出力するコンテンツに対応する文字情報を示し、具体的には、音タイトル表示部４１に着信メロディである着信音の曲タイトルを、音付随情報表示部４２に音データの付随的な情報を示している。なお、図５の（Ｃ）の音リンク３５が「０」であるため、音リンク情報表示部４３（図４参照）が示されていない。また、画像タイトル表示部４５に画像のタイトルを、画像付随情報表示部４６に画像の説明等の付随的な情報を、画像リンク情報表示部４７にリンク情報を示している。この例では、リンク情報として、画像のダウンロードサイトへのリンクを示している。
他方、図６の（１ｂ）に、携帯電話機１Ｂの出力例を示す。表示部１１Ｂには、発信側である携帯電話機１Ｃの電話番号と共に、登録された画像のコンテンツである画像データ３６として犬の画像を示している。また、登録された音のコンテンツである音データ３２として「孤独な私」のメロディが、スピーカ２２Ｂから出力される。
このように、着信音が設定されている場合には、発信者は、着信音に関する情報として、例えば、曲のタイトルや曲の発売日等の付帯情報を知ることができる。
また、携帯電話機１Ｂが着信音のみならず、着信時に画像のコンテンツを出力している場合には、発信者は、例えば、画像のタイトルや作者等の付帯情報として画像データの情報を知ることができる。
【００４０】
（２）図６の（２ａ）及び（２ｂ）は、上述の図５の（Ｄ）に基づき出力された出力表示例であり、携帯電話機１Ｂが、着信時に画像とバイブレータとを出力する例である。以下、上述の図５の（Ｄ）に基づき出力された出力表示例の説明では、着信側を携帯電話機１Ｄとし、携帯電話機１Ｄの関連にはＤを付す。図６の（２ａ）は、表示部１１Ｄに表示されるコンテンツに対応する文字情報を示す。図６の（１ａ）と比較して、バイブレータ情報表示部４８にバイブレータモードが設定中である旨を示している。その他、着信音の設定がされていないため、着信音に関する文字情報が示されていない。また、図６の（２ｂ）では、携帯電話機１Ｂがバイブレータ部１３Ｂ（図２参照）の出力により振動している様子を示している。また、表示部１１Ｂには、登録された画像のコンテンツである画像データ３６として家の画像を示している。
このように、着信音を出力せずに、例えば、バイブレータを起動する設定となっている場合には、表示部１１Ｄにその旨を表示する。よって、発信者は、着信者の携帯電話機の状況を知ることができ、例えば、着信者が応答しない場合であってもイライラせずに済む。
【００４１】
（第２実施形態）
次に、本発明を適用した第２実施形態について説明する。
第２実施形態は、着信側の携帯電話機１（以降、本実施形態では携帯電話機１Ｆという）に、発信側の携帯電話機１（以降、本実施形態では、携帯電話機１Ｅという）からの着信時に出力されるコンテンツに対応する文字情報を出力するものである。
なお、以下の説明及び図面において、前述した第１実施形態と同様の機能を果たす部分には、同一の符号又は末尾に同一の符号を付して、重複する説明を適宜省略する。
【００４２】
図７は、第２実施形態の一例に係る携帯電話機１の処理を示すフローチャートである。
図８は、第２実施形態の一例に係る出力表示例を示す図である。
なお、システム構成、機能ブロック、及び着信コンテンツテーブルは、第１実施形態と同様であるので、図１、図２、及び図５を流用して説明する。
図７において、ステップＳ１２１では、ＥさんはＦさんに電話をかける。具体的には、携帯電話機１Ｅの制御部５Ｅは、送信部１４Ｅに対し、携帯電話機１Ｆに電話に関する信号を送信する制御を行う。この際、表示部１１Ｅには、図８の（ａ）に示すような画像が表示される。他方、ステップＳ２２１において、携帯電話機１Ｆの受信部１５Ｆは、携帯電話機１Ｅから電話を着信する。その後、ステップＳ２２２では、制御部５Ｆは、呼出処理を行う。具体的には、図８の（ｂ）に示すように、着信コンテンツテーブル３０Ｆに格納される音データ３２及び画像データ３６を用いて、制御部５Ｆは、音声入出力部１６Ｆを介してスピーカ２２Ｆから音を出力したり、表示部１１Ｆに画像を出力する制御を行ったりする。
携帯電話機１Ｅにおいて、その後、ステップＳ１２２では、制御部５Ｅは、記憶部１０Ｅに記憶され携帯電話機１Ｅが着信時に出力するコンテンツを格納する着信コンテンツテーブル３０Ｅから、Ｆさんの電話番号に対するコンテンツを検索する。その後、ステップＳ１２３では、制御部５Ｅは、検索したコンテンツに対応する文字情報を抽出する。その後、ステップＳ１２４では、制御部５Ｅは、送信部１４Ｅに文字情報を送信する制御を行う。その後、制御部５Ｅは、本処理を終了する。本処理終了後は、Ｆさんが携帯電話機１Ｆを操作し応答することで、携帯電話機１Ｅと携帯電話機１Ｆとの間で通話を行うことができる。
【００４３】
他方、ステップＳ２２３において、携帯電話機１Ｆの受信部１５Ｆが文字情報を受信したことに応じて、ステップＳ２２４で、制御部５Ｆは、文字情報を表示部１１Ｆの呼出画面にさらに表示させる。具体的には、制御部５Ｆは、図８の（ｃ）に示すような画像を表示させる。表示部１１Ｆは、通常の呼出の際の画像に重ねて、音タイトル表示部６１に着信メロディである着信音の曲タイトルを、音リンク情報表示部６３にリンク情報を示している。その後、制御部５Ｆは、本処理を終了する。
本処理により、携帯電話機１Ｅの着信時に出力されるコンテンツの文字情報を携帯電話機１Ｆに送信する。そして、携帯電話機１Ｆは、着信したことに応じて受信した当該文字情報を表示する。よって、Ｆさんは、Ｅさんがどのようなコンテンツを設定しているかを知ることができる。
【００４４】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した第１実施形態、第２実施形態及び後述する変形形態は、適宜組み合わせて用いることもできるが、詳細な説明は省略する。
【００４５】
（変形形態）
以上、説明した実施形態に限定されることなく、種々の変形や変更が可能であって、それらも本発明の範囲内である。
上述の実施形態では、電話の着信に関する文字情報を出力するものであるが、これに限らず、電子メールの着信においても使用できる。
また、上述の実施形態では、コンテンツとして画像データに関する文字情報を出力するものを示したが、画像データは、静止画であっても動画であってもよい。
さらに、上述の実施形態では、発信者情報に基づきコンテンツを設定したが、発信者を特定せずにコンテンツを設定してもよい。このようにすることで、特定されていない発信者からの着信に関しても、携帯電話機に文字情報を表示することができる。
加えて、バイブレータの設定時に、バイブレータの設定がされていない場合（バイブレータの設定解除時）に出力される音のコンテンツに関する文字情報をあわせて出力してもよい。このようにすることで、バイブレータの設定可否によらず、携帯電話機は音に関する文字情報を表示することができる。また、バイブレータの設定に関して、サイレントモードや運転モード等の既存の種々のモードに対応したものである場合には、その旨を出力してもよい。
【図面の簡単な説明】
【００４６】
【図１】第１実施形態の一例に係るコンテンツ情報通知システムの構成を示す図である。
【図２】第１実施形態の一例に係る携帯電話機の機能ブロックを示す図である。
【図３】第１実施形態の一例に係る携帯電話機の処理を示すフローチャートである。
【図４】第１実施形態の一例に係る出力表示例を示す図である。
【図５】第１実施形態の一例に係る着信コンテンツテーブルを示す図である。
【図６】第１実施形態の一例に係る他の出力表示例を示す図である。
【図７】第２実施形態の一例に係る携帯電話機の処理を示すフローチャートである。
【図８】第２実施形態の一例に係る出力表示例を示す図である。
【符号の説明】
【００４７】
１    携帯電話機
３    サーバ
５    制御部
１０  記憶部
１１  表示部
１３  バイブレータ部
１４  送信部
１５  受信部
１６  音声入出力部
２２  スピーカ
３０  着信コンテンツテーブル
１００  コンテンツ情報通知システム
【図１】
2008306440.tif 000003
【図２】
2008306440.tif 000004
【図３】
2008306440.tif 000005
【図４】
2008306440.tif 000006
【図５】
2008306440.tif 000007
【図６】
2008306440.tif 000008
【図７】
2008306440.tif 000009
【図８】
2008306440.tif 000010